(57)【要約】【課題】  構成も複雑化させずに、原稿から画像を読み取る際の裏写りの発生を抑えることができるようにする。【解決手段】  画像読取部９は、原稿台３の近傍直下に設けられ、原稿７に向けて発光照射して原稿７側からの反射光を受ける。変換部２５は、画像読取部９で受けた反射光に基づき画像データを変換出力する。原稿圧板３９は、原稿７を間にして画像検出部９とは反対側にて原稿７の裏面に向けて配置され、通電レベルに応じて透明度が変化する。読取制御部４９は、原稿７を移動させる過程で、原稿圧板３９への第１の通電レベルと、これと異なる第２の通電レベルとを切り換え動作制御する。演算部２７は、第１の通電レベル時に変換部２５からの画像データと、第２の通電レベル時に変換部２５からの画像データとに基づき原稿７の裏写り部分を除去演算して読み取り画像データを求める。【選択図】  図１
2010114703.tif 000002
【特許請求の範囲】
【請求項１】
原稿台の近傍直下に設けられ、前記原稿台上の原稿に向けて発光照射するとともに前記原稿側からの反射光を受ける画像読取部と、
この画像読取部で受けた前記反射光に基づき電気的な画像データを変換出力する変換部と、
前記画像読取部を所定方向に前記原稿に対して相対的に移動させる移動部と、
前記原稿を間にして前記画像検出部とは反対側において、前記画像検出部からの照射光を遮るように前記原稿裏面に向けて配置された原稿圧板であって、通電レベルに応じて透明度を変化する原稿圧板と、
前記移動部が前記画像検出部を相対的に移動させる過程で、前記原稿に記録された同一位置の画像に対し、前記原稿圧板への第１の通電レベルと、この第１の通電レベルと異なる第２の通電レベルとを切り換え動作制御する読取制御部と、
前記第１の通電レベル時に前記変換部から得られる前記画像データとしての第１の画像データと、前記第２の通電レベル時に前記変換部から得られる前記画像データとしての第２の画像データとに基づき、前記原稿の裏写り部分を除去演算して読み取り画像データを求める演算部と、
を具備することを特徴とする原稿読取装置。
【請求項２】
前記読取制御部は、前記移動部が前記原稿を移動させる過程で、前記原稿の各走査ラインにおいて前記第１、第２の通電レベルとを交互に切り換え動作制御する請求項１記載の原稿読取装置。
【請求項３】
前記読取制御部は、前記移動部が前記画像読取部を移動させる過程で、前記原稿の各走査ラインにおいて前記第１、第２の通電レベルとを交互に切り換え動作制御する請求項１記載の原稿読取装置。
【請求項４】
前記原稿圧板は、前記第１、第２の通電レベルに応じて濃度が変化するものである請求項１〜３いずれか１記載の原稿読取装置。
【請求項５】
前記原稿圧板は、前記第１、第２の通電レベルに応じて色が変化するものである請求項４記載の原稿読取装置。
【請求項６】
前記原稿圧板は、前記第１、第２の通電レベルに応じて３原色で変化するものである請求項５記載の原稿読取装置。
【請求項７】
前記読取制御部は、前記原稿の薄さに応じて前記原稿圧板の透明度を変化させる請求項１〜６いずれか１記載の原稿読取装置。
【請求項８】
前記請求項１〜７いずれか１記載の原稿読取装置を具備し、読み取った画像データを画像形成する画像形成部を有することを特徴とする画像形成装置。
【発明の詳細な説明】
【技術分野】
【０００１】
本発明は原稿読取装置および画像形成装置に係り、原稿に表示された画像を読み取る原稿読取装置、およびこれを搭載した複写機、ファクシミリ機、複合機（ＭＦＰ：Multi Function Peripheral）等の画像形成装置の改良に関する。
【背景技術】
【０００２】
従来、この原稿読取装置を備えた画像形成装置においては、原稿の表面からの画像データの読み取りに当たり、原稿が薄いと、裏面に記録された画像が透けて表面の画像とともに読み取られてしまう、いわゆる裏写りが発生し易い。
【０００３】
そこで、例えば特開平１０−１５５０８８号公報（特許文献１）の原稿読取装置が提案されている。
【０００４】
この特許文献１は、濃度を２段階に異ならせた原稿圧板と、読取位置裏面に位置するこの原稿圧板の濃度を切り換えるよう当該原稿圧板を変位する圧板切換手段と、同一原稿に対して原稿圧板の変位毎にその原稿画像の読取りを行わせる２回読取手段と、これらの２回の読取りで得られる各読取画素毎の読取多値データ間で原稿表面データと原稿裏面画像の表面への写り込みデータとの差を拡大する演算処理を行って原稿表面データを抽出する読取データ処理手段とを有し、裏面画像の表面への写り込みによる誤読取りを生ずることなく原稿表面画像のみを容易に抽出できるようにしたものである。
【特許文献１】特開平１０−１５５０８８号公報
【発明の開示】
【発明が解決しようとする課題】
【０００５】
しかしながら、上述した特許文献１では、濃度の異なる領域を有する原稿圧板の位置を可動する構成になっているので、原稿圧板を変位するための可動機構が必要であり、構成が複雑化する難点があった。
【０００６】
さらに、特許文献１では、移動する原稿近傍にあってユーザーが触れる部分に原稿圧板が位置する構成となり易く、安全を確保する観点から原稿圧板が動かない構成が望ましく、この点からも改善が必要であった。
【０００７】
本発明はそのような課題を解決するためになされたもので、原稿から画像を読み取る際の裏写りの発生を抑え、構成も複雑化させ難く、安全性の確保も容易な原稿読取装置およびこれを搭載した画像形成装置の提供を目的とする。
【課題を解決するための手段】
【０００８】
そのような課題を解決するために本発明の請求項１に係る原稿読取装置は、原稿台の近傍直下に設けられ、その原稿台上の原稿に向けて発光照射するとともに原稿側からの反射光を受ける画像読取部と、この画像読取部で受けた反射光に基づき電気的な画像データを変換出力する変換部と、その画像読取部を所定方向に原稿に対して相対的に移動させる移動部と、その原稿台に載置する原稿を間にして画像検出部とは反対側において、その画像検出部からの照射光を遮るように原稿裏面に向けて配置された原稿圧板であって、通電レベルに応じて透明度の変化する原稿圧板と、その移動部が画像検出部を相対的に移動させる過程で、原稿に記録された同一位置の画像に対し、その原稿圧板への第１の通電レベルと、この第１の通電レベルと異なる第２の通電レベルとを切り換え動作制御する読取制御部と、第１の通電レベル時に変換部から得られる画像データとしての第１の画像データと、その第２の通電レベル時に変換部から得られる画像データとしての第２の画像データに基づき原稿の裏写り部分を除去演算して読み取り画像データを求める演算部と、を具備している。
【０００９】
本発明の請求項２に係る原稿読取装置は、上記読取制御部が、その移動部で原稿を移動させる過程で、その原稿の各走査ラインにおいてそれら第１、第２の通電レベルとを交互に切り換え動作制御する構成を有している。
【００１０】
本発明の請求項３に係る原稿読取装置は、上記読取制御部が、その移動部が画像読取部を移動させる過程で、その原稿の各走査ラインにおいてそれら第１、第２の通電レベルとを交互に切り換え動作制御する構成を有している。
【００１１】
本発明の請求項４に係る原稿読取装置は、上記原稿圧板が、第１、第２の通電レベルに応じて濃度が変化する構成を有している。
【００１２】
本発明の請求項５に係る原稿読取装置は、上記原稿圧板が、第１、第２の通電レベルに応じて色が変化する構成を有している。
【００１３】
本発明の請求項６に係る原稿読取装置は、上記原稿圧板が、第１、第２の通電レベルに応じて３原色で変化する構成を有している。
【００１４】
本発明の請求項７に係る原稿読取装置は、上記読取制御部が、その原稿の薄さに応じてその原稿圧板の透明度を変化させる構成を有している。
【００１５】
本発明の請求項８に係る画像形成装置は、それらいずれかの原稿読取装置を具備し、読み取った画像データを画像形成する画像形成部を有する構成になっている。
【発明の効果】
【００１６】
このような本発明の請求項１に係る原稿読取装置では、画像読取部が、原稿台上の原稿に向けて発光照射するとともに原稿側からの反射光を受け、変換部がその反射光に基づき電気的な画像データを変換出力し、移動部が原稿を相対的に移動させる過程で、読取制御部が、その原稿に記録された同一位置の画像において、原稿圧板への第１の通電レベルと、この第１の通電レベルと異なる第２の通電レベルとを切り換え動作制御し、演算部が、第１の通電レベル時に変換部から得られる第１の画像データと、その第２の通電レベル時に変換部から得られる第２の画像データとに基づき原稿の裏写り部分を除去演算して読み取り画像データを出力するので、原稿から画像を読み取る際の裏写りの発生を抑え、構成も複雑化させ難く、安全性の確保も可能である。
【００１７】
本発明の請求項２に係る原稿読取装置では、上記読取制御部が、その移動部が原稿を移動させる過程で、その原稿の各走査ラインにおいてそれら第１、第２の通電レベルとを交互に切り換え動作制御するから、上述した効果に加えて、原稿を自動供給する過程で、裏写りの発生を抑えた状態で原稿から画像を読み取り可能である。
【００１８】
本発明の請求項３に係る原稿読取装置では、上記読取制御部が、その移動部が画像読取部を移動させる過程で、その原稿の各走査ラインにおいてそれら第１、第２の通電レベルとを交互に切り換え動作制御するから、原稿を原稿台に載置して状態で、裏写りの発生を抑えた画像読み取りが可能である。
【００１９】
本発明の請求項４に係る原稿読取装置では、上記原稿圧板が、第１、第２の通電レベルに応じて濃度が変化するから、モノクロ濃度の変更可能な安価な原稿圧板の使用が可能で、原稿から画像を読み取る際の裏写りの発生を確実に抑えることが容易である。
【００２０】
本発明の請求項５に係る原稿読取装置では、上記原稿圧板が第１、第２の通電レベルに応じて色が変化するから、カラーの裏写りの発生を抑えた画像読み取りが可能である。
【００２１】
本発明の請求項６に係る原稿読取装置では、上記原稿圧板が第１、第２の通電レベルに応じて３原色で変化するから、特定の色の検出が可能で、特定のカラーの裏写りの発生を抑えた画像読み取りが可能である。
【００２２】
本発明の請求項７に係る原稿読取装置では、上記読取制御部がその原稿の薄さに応じてその原稿圧板の透明度を変化させるから、その原稿の薄さに応じて裏写りの発生を確実に抑えることが可能である。
【００２３】
本発明の請求項８に係る画像形成装置では、それらいずれかの原稿読取装置を具備し、読み取った画像データを画像形成する画像形成部を有する構成になっているから、裏写りの発生を抑えた画像データの画像形成が容易である。
【発明を実施するための最良の形態】
【００２４】
以下、本発明に係る原稿読取装置および画像形成装置の実施の形態を図面を参照して説明する。
【００２５】
まず、本発明に係る原稿読取装置Ａから説明する。
【００２６】
図１は、本発明に係る原稿読取装置Ａの実施の形態を示す構成図である。
【００２７】
図１において、本体ケース１は、後述する画像形成装置Ｂの本体ケースを兼ねるものであり、その上側には透明なコンタクトガラス３、５が配置されている。
【００２８】
コンタクトガラス３は、細長い長方形を有し、読み取る原稿７の主走査方向（原稿の搬送方向に直交する方向）に沿って本体ケース１の側部に寄せて配置されており、第１の原稿台として機能する。
【００２９】
コンタクトガラス５は、原稿７の寸法より大形の方形形状を有し、コンタクトガラス３の近傍からコンタクトガラス３とは反対方向に延びるように配置されており、第２の原稿台として機能する。
【００３０】
本体ケース１内部において、コンタクトガラス３の近傍直下には、コンタクトガラス３上に位置する原稿７に向けて光を発光照射するとともにその原稿側からの反射光を受ける第１の画像読取部９が形成されている。
【００３１】
第１の画像読取部９は、図２に示すように、コンタクトガラス３上に位置する原稿７に向けて光を発光照射する発光ダイオード等からなる第１の光源１１と、コンタクトガラス３側からの反射光を反射するミラー１３と、これらを収納する収納部１５を有している。
【００３２】
第１の光源１１は、コンタクトガラス３上の原稿７の画像を１走査ラインずつ読み取るものであり、光量が可変制御される。光量の可変制御については後述する。
【００３３】
第１の画像読取部９は、図１に示すように、本体ケース１内部に配置された移動部１７に連結されており、コンタクトガラス３の近傍直下を始端とし、コンタクトガラス５に沿ってこれと並行に図中右端に向けて所定のタイミングで間欠移動するとともに、終端に至ったとき始端に向けて戻るよう、移動部１７によって往復動制御されている。
【００３４】
本体ケース１内において、ミラー１３からの反射光の光軸上には、ミラー１９、２１、集光レンズ２３および第１の変換部２５が配置されている。
【００３５】
第１の変換部２５は例えばＣＣＤ（charge coupled device）からなり、ミラー１９、２１で導光され、集光レンズ２３で集光された画像読取部９からの反射光に基づきこの光量に応じたレベルの多値電気信号に変換したデジタル画像データを、演算部２７に出力するものである。演算部２７については後述する。
【００３６】
本体ケース１には、コンタクトガラス３、５を覆うようにして自動原稿供給部２９が載置され、図示しないヒンジ機構によって当該端部が本体ケース１に固定され、扇状に変位可能になっている。自動原稿供給部２９がコンタクトガラス３、５に重ねられた状態では、コンタクトガラス５に載置した原稿７が押圧されるようになっている。
【００３７】
自動原稿供給部２９は、その本体部３１がコンタクトガラス３の上側に位置し、この本体部３１から延びる原稿トレイ３３および排紙トレイ３５がコンタクトガラス５の上側に位置するようになっている。
【００３８】
自動原稿供給部２９の本体部３１内には、原稿トレイ３３から原稿７を給紙して第２の画像読取部９近傍を介してループ状に搬送し、排紙トレイ３５に排紙させる第２の移動部としての複数の搬送用ローラ３７が配置されている。
【００３９】
本体部３１は、第１の画像読取部９近傍において、第１の光源１１からの照射光を内部に導光できるようになっており、第１の光源１１からの照射光軸を遮るようにして第１の原稿圧板３９が配置され、搬送される原稿７の裏面に第１の原稿圧板３９が圧接されるようになっている。この第１の原稿圧板３９は、第１の光源１１からの照射光を反射するものであるが、詳細は後述する。
【００４０】
本体部３１内には、第１の原稿圧板３９より下流側を搬送される原稿７の裏面に向けて光を発光照射する発光ダイオード等からなる第２の光源４１と、この光軸を遮るようにして第２の原稿圧板４３が配置され、第２の原稿圧板４３が原稿７に圧接されるようになっている。この第２の原稿圧板４３も、第２の光源４１からの照射光を反射するものであるが、詳細は後述する。
【００４１】
第２の変換部４５は、例えば、ＣＩＳ（contact image sensor）等からなり、第２の光源４１からの照射光のレベルに応じた電気的なデジタル画像データを演算部２７に出力するものである。
【００４２】
第１および第２の原稿圧板３９、４３は、対向する透明電極と、この電極間に介在された濃度可変剤としてのインク配向粒子を分散配置したいわゆる調光フィルム板であり、図３に示すように、透明電極間に印加する駆動信号（駆動電流又は駆動電圧）の通電レベルに応じてインク配向粒子の配列が変わり、同図Ａ、Ｂのように透明状態から高濃度状態まで透明度が変化する機能を有している。
【００４３】
読取制御部４９は、原稿７が第１の原稿圧板３９付近を搬送される過程で、原稿７に記録された同一位置の画像において、第１の原稿圧板３９への第１の通電レベルと、この第１の通電レベルと異なる第２の通電レベルとを切り換えるよう、第１、第２の原稿圧板３９、４３を制御する機能を有している。
【００４４】
すなわち、読取制御部４９は、原稿７に対し１走査ライン毎に一時的に停止しながら間欠移動するよう自動原稿供給部２９のローラ３７を制御するとともに、第１の原稿圧板３９を原稿７が搬送される過程で、原稿７の１走査ライン毎に、第１の原稿圧板３９が最大の透過度になるよう第１の通電レベルの駆動電流印加と、透過度が半減する第２の通電レベルの駆動電流印加とを切り換えるよう、第１、第２の原稿圧板３９、４３を制御する機能を有している。
【００４５】
上述した演算部２７は、第１の変換部２５および第２の変換部４５から出力された第１の画像データと第２の画像データとに基づき、原稿７の裏写り部分を除去演算して表面側の読み取り画像データおよび裏面側の読み取り画像データを求める演算機能を有しており、後述する画像形成装置Ｂの印刷制御部５１に接続されている。
【００４６】
第１、第２の原稿圧板３９、４３の透過度が低い場合、原稿７の表面からの反射光の光量は大きいし、原稿７の裏面からの反射光の光量もある程度大きい反面、第１、第２の原稿圧板３９、４３の透過度が高い場合、原稿７の表面からの反射光の光量は大きいものの、原稿７の裏面からの反射光の光量が減少する。
【００４７】
例えば、図４Ａに示すように、符号「１２３」が原稿７の表面側の画像であり符号「＜＊＞」が原稿７の裏面側の画像であり、同図Ａ中の符号Ｐ位置における表面側の画像データのレベルが同図Ｂのようになった場合、同図Ａ中の符号Ｐ位置における裏面側の画像データのレベルが同図Ｃのようになるから、これらを加算すると、同図Ｄに示すように、表面側の画像データのレベルが強調された波形になる。閾値を適当に選定すれば、原稿７の表面からの画像データのみを抽出して原稿７の裏写り部分を除去可能となる。
【００４８】
演算部２７は、例えば、第１の変換部２５および第２の変換部４５から各々出力された第１の画像データと第２の画像データを加算し、所定の大きな閾値を超えた画像データのみを画像形成用の画像データとして画像形成装置Ｂの印刷制御部５１に出力する機能を有している。
【００４９】
次に、本発明に係る原稿読取装置Ａの動作を簡単に説明する。
【００５０】
自動原稿供給部２９の原稿トレイ３３に原稿７をセットし、図示しない読取キーを操作して読み取り動作を開始させる。
【００５１】
すると、ローラ３７が原稿トレイ３３から原稿７を給紙してループ状に搬送し、画像読取部９近傍を介して排紙トレイ３５に排紙させる。
【００５２】
画像読取部９の近傍においては、画像読取部９の第１の光源１１からの照射光によって原稿７の表面で反射された反射光と、原稿７を透過して第１の原稿圧板３９で反射された反射光がミラー１３、１９、２１、集光レンズ２３を介して第１の変換部２５に導光され、反射光に応じた第１の画像データが演算部２７に出力される。
【００５３】
第１の原稿圧板３９より下流側にて、第２の光源４１からの照射光によって原稿７の裏面で反射された反射光と、原稿７を透過して第２の原稿圧板４３で反射された反射光が第２の変換部で受光され、反射光に応じた第２の画像データが演算部２７に出力される。
【００５４】
その際、読取制御部４９は、原稿７が第１の原稿圧板３９を搬送される過程で、原稿７に対し１走査ライン毎に、第１、第２の原稿圧板３９、４５が最大の透過度になるよう第１の通電レベルの駆動電流印加と、透過度が半減する第２の通電レベルの駆動電流印加とを切り換えるよう、それら第１、第２の原稿圧板３９、４３を制御する。
【００５５】
そのため、第１の変換部２５および第２の変換部４５からは、原稿７の表面および裏面側について、第１および第２の通電レベルに応じた第１、第２の画像データが出力される。
【００５６】
演算部２７から、第１の変換部２５および第２の変換部４５から出力された第１の画像データと第２の画像データとに基づき原稿７の裏写り部分を除去演算して表面側の読み取り画像データおよび裏面側の読み取り画像データが、画像形成装置Ｂの印刷制御部５１に出力される。
【００５７】
次に、上述した原稿読取装置Ａを搭載した画像形成装置Ｂを図５を参照して簡単に説明する。
【００５８】
画像形成装置Ｂは、印刷制御部５１を中心にして上述した原稿読取装置Ａ、記憶部５３、操作パネル部５５、印刷部５７、送受信部５９を有し、例えば複合機（ＭＦＰ）を構成している。なお、画像形成装置Ｂは、これ以外にも構成を有するが、本発明の要旨ではないので説明および図示を省略する。
【００５９】
原稿読取装置Ａは、上述したように原稿７から画像を光学的に読み取るとともに裏写り部分が除去された画像データを生成するスキャナであり、印刷制御部５１を介した読取制御部４９等の制御の下、頁毎の画像データが記憶部５３に記憶されるようになっている。
【００６０】
記憶部５３は、印刷制御部５１の制御の下、原稿読取装置Ａからの読取り画像データや送受信部５９からの後述する受信画像データを記憶する他、印刷制御部５１の動作プログラムを記憶した読み書き可能な例えばハードディスクである。
【００６１】
操作パネル部５５は、図示しないが、本体ケース１の上部に配置され、印刷制御部５１の制御の下、種々の動作状態の表示が可能な表示部としての公知の液晶表示パネルと、装置の動作に係る画像が表示された箇所をタッチすることによって原稿からの読み取りを受付ける入力部としての機能を有している。
【００６２】
印刷部５７は、上述した図１に示した本体ケース１に配置され、図示はしないが、シート材がセットされる複数の給紙部と、上述した画像データから印刷画像イメージデータに展開してトナーカセットからのトナーでトナー現像してシート材にトナー像を転写する転写部と、転写されたシート材の転写画像を定着する定着部等を有する画像形成部としてのカラー又はモノクロ印刷エンジンである。
【００６３】
印刷部５７は、原稿読取装置Ａの片面読み取りと両面読み取り動作に応じ、シート材に画像データを片面転写定着又は両面転写定着する。
【００６４】
送受信部５９は、所定のプロトコルに従い、ネットワーク６１を介してコンピュータ等の情報処理装置６３との間で種々の情報を送受信するインターフェース部である。
【００６５】
印刷制御部５１は、ＣＰＵやこのＣＰＵの動作プログラムを格納したＲＯＭを有して形成されており、上述した原稿読取装置Ａ、記憶部５３、操作パネル部５５、受信部９、印刷部５７および送受信部５９等を制御するとともに、複合機の図示しない機能部を制御している。
【００６６】
このように、本発明の原稿読取装置は、コンタクトガラス（原稿台）３の近傍直下に設けられ、原稿７に向けて発光照射するとともに原稿７側からの反射光を受ける第１、第２の画像読取部９、４７と、これらの画像読取部９、４７で受けた反射光に基づき電気的な画像データを変換出力する第１、第２の変換部２５、４５と、それら画像読取部９、４７と原稿７を移動させる第１、第２の移動部（ローラ）１７、３７と、原稿７を間にしてそれら画像検出部９、４７とは反対側において、それら画像検出部９、４７からの照射光を遮るように原稿７の裏面に向けて配置された第１、第２の原稿圧板３９、４３であって、通電レベルに応じて透明度の変化する第１の原稿圧板３９、４３と、その原稿７が移動させる過程で、原稿７に記録された同一位置の画像において、第１、第２の原稿圧板３９、４３への第１の通電レベルと、この第１の通電レベルと異なる第２の通電レベルとを切り換え動作制御する読取制御部４９と、第１の通電レベル時に第１、第２の変換部２５、４５から得られる第１の画像データと、第２の通電レベル時に第１、第２の変換部２５、４５から得られる第２の画像データに基づき原稿７の裏写り部分を除去演算して読み取り画像データを求める演算部２７とを具備している。
【００６７】
そのため、通電変化によって透明度が変化する部材を第１、第２の原稿圧板３９、４３に使用することで、第１、第２の原稿圧板３９、４３の濃度を変更して２回の走査を行い、読込まれる画像データの差を拡大し、写り込み成分を補正を行うことが可能となり、原稿から画像を読み取る際の裏写りの発生を抑えることが容易で、第１、第２の原稿圧板３９、４３を移動させない構成であるから、構成も複雑化させ難いうえ、安全性の確保も可能である。
【００６８】
しかも、原稿７を移動させる過程で、その原稿７の各走査ラインにおいてそれら第１および第２の通電レベルとを交互に切り換え動作制御するから、自動原稿供給装置２９によって原稿７を自動供給する過程で、裏写りの発生を抑えた状態で原稿から画像を読み取り可能である。
【００６９】
本発明の原稿読取装置では、自動原稿供給装置２９によって原稿７を自動供給する過程で画像を読み取る構成に限定されない。
【００７０】
すなわち、読取制御部４９が、移動部１７によって第１の画像読取部９をコンタクトガラス５に沿って移動させる過程で、原稿７に向けて発光照射するとともに、第３の原稿圧板５９を原稿７の上に配置し、この第３の原稿圧板５９を読取制御部４９にて、第１の通電レベルとこれと異なる第２の通電レベルとを切り換え動作制御する構成も可能である。要は、原稿７に対して画像読取部９を相対的に移動させる構成であれば良い。
【００７１】
移動部１７は、画像読取部９を開始位置から終端に移動させたとき、画像読取部９を元のスタート位置に戻すように往復動制御するものであり、画像読取部９を開始位置から終端に１回分移動させる間に、第１、第２の読取状態とを切り換え制御する構成でも、２回分移動させる間に画像読取部９を第１の読取状態で読取った後、画像読取部９を元の開始位置に戻してから第２の読取状態で読み取る構成も可能である。
【００７２】
もっとも、本発明の原稿読取装置では、第１、第２の画像読取部９、４７、第１、第２の変換部２５、４５および第１、第２の原稿圧板３９、４３を有する構成に限定されず、原稿読取装置（画像形成装置Ｂ）Ａの本体ケース１内に配置された第１の画像読取部９、第１の変換部２５および自動原稿供給装置２９側、すなわち、原稿７を間にして第１の画像検出部９とは反対側において、第１の画像検出部９からの照射光を遮るように原稿裏面に向けて配置された第１の原稿圧板３９を有する構成で実施しても本発明目的達成が可能である。
【００７３】
ところで、上述した本発明の原稿読取装置では、第１、第２の原稿圧板３９、４７が通電レベルに応じて濃度が変化する構成であったので、モノクロ濃度の変更可能な安価な原稿圧板の使用が可能であり、原稿から画像を読み取る際の裏写りの発生を確実に抑えることが容易であるが、本発明はこれに限定されない。
【００７４】
例えば、第１、第２の原稿圧板３９、４７が通電レベルに応じて色が変化する構成も可能であり、カラーの裏写りの発生を抑えた画像読み取りを可能にできる。
【００７５】
さらに、第１、第２の原稿圧板３９、４７が通電レベルに応じて３原色で変化する構成にすれば、特定の色の検出が可能で、特定のカラーの裏写りの発生を抑えた画像読み取りが可能である。
【００７６】
例えば、図６に示すよう、複数の透明フィルム６５を積層配置し、これら透明フィルム６５の間に青色Ｂ、赤色Ｒおよび緑色Ｇの調光フィルム板６７を各々配置し、個々の調光フィルム板６７を透明状態から青色Ｂ、赤色Ｒ又は緑色Ｇ状態に変化可能にする構成も可能である。
【００７７】
このような構成では、個々の調光フィルム板６７を透明状態から青色Ｂ、赤色Ｒ又は緑色Ｇ状態に変化制御することにより、カラー原稿の読込時に、照射した色以外の色の反射光の影響を抑えることが可能であるから、青色Ｂ、赤色Ｒ又は緑色Ｇを分けて照射して光を読み取る場合、不必要な反射光を除ける利点があるし、通常の白色光を照射して受光側で色フィルタにかける場合、どの色が裏写りしているかの判別も容易になる。
【００７８】
さらに、上述した本発明の原稿読取装置では、単に、第１の原稿圧板３９、４３の透明度を変化させる構成であったが、図示はしないが、本発明の原稿読取装置では、原稿７の薄さを検知するとともに、検知結果である原稿７の薄さに応じて第１の原稿圧板３９、４３の通電レベルを変化させる構成も可能であり、これに対応させて読取制御部４９を形成すれば良い。
【００７９】
このような構成では、原稿７の薄さに応じて裏写りの発生を確実に抑えることが可能である。
【００８０】
なお、本発明に係る画像形成装置Ｂでは、上述した原稿読取装置Ａに係る効果に加えて、裏写りの発生を抑えた画像データの画像形成が容易である。
【図面の簡単な説明】
【００８１】
【図１】本発明に係る原稿読取装置の実施の形態を示す内部構成図である。
【図２】本発明に係る原稿読取装置の要部を示す概略構成図である。
【図３】本発明に係る原稿読取装置の原稿圧板を説明する図である。
【図４】本発明に係る原稿読取装置の動作を説明する図である。
【図５】本発明に係る原稿読取装置を搭載した画像形成装置を示すブロック図である。
【図６】本発明に係る原稿読取装置の原稿圧板の他の例を説明する図である。
【符号の説明】
【００８２】
１  本体ケース
３、５  コンタクトガラス（第１の原稿台）
７  原稿
９  第１の画像読取部（画像読取部）
１１  第１の光源（光源）
１３、１９、２１  ミラー
１５  収納部
１７  第１の移動部（移動部）
２３  集光レンズ
２５  第１の変換部（変換部）
２７  演算部
２９  自動原稿供給部
３１  本体部
３３  原稿トレイ
３５  排紙トレイ
３７  ローラ（第２の移動部）
３９  第１の原稿圧板（原稿圧板）
４１  第２の光源（光源）
４３  第２の原稿圧板（原稿圧板）
４５  第２の変換部（変換部）
４７  第２の画像読取部（画像読取部）
４９  読取制御部
５１  印刷制御部
５３  記憶部
５５  操作パネル部
５７  印刷部（画像形成部）
５９  送受信部
６１  ネットワーク
６３  情報処理装置（コンピュータ）
６５  透明フィルム
６７  調光フィルム板
Ａ  原稿読取装置
Ｂ  画像形成装置
【図１】
2010114703.tif 000003
【図２】
2010114703.tif 000004
【図３】
2010114703.tif 000005
【図４】
2010114703.tif 000006
【図５】
2010114703.tif 000007
【図６】
2010114703.tif 000008